(57)【要約】【課題】本発明は、信号発生装置に関し、例えばＬＣＤ、ＰＤＰ等のディスプレイ装置の表示の検査に使用して、従来に比して簡易な構成で確実に輝度ムラ、色ムラを検出することができるようにする。【解決手段】本発明は、一定の輝度レベル、一定の色相による背景６の前に、一定の輝度レベル、一定の色相による同一形状のパターンＰを繰り返し配置した画像を表示する。【選択図】        図１
2008028508.tif 000002
【特許請求の範囲】
【請求項１】
輝度ムラ検出用及び又は色ムラ検出用のテスト信号を出力する信号発生装置であって、
一定の輝度レベル、一定の色相による背景の前に、一定の輝度レベル、一定の色相による同一形状のパターンを繰り返し配置した画像を表示するテスト信号を出力する
ことを特徴とする信号発生装置。
【請求項２】
操作子の操作に応動して、前記背景及び前記パターンの輝度レベル、色相を可変する
ことを特徴とする請求項１に記載の信号発生装置。
【請求項３】
操作子の操作に応動して、前記パターンの繰り返しの回数を可変する
ことを特徴とする請求項１又は請求項２に記載の信号発生装置。
【発明の詳細な説明】
【技術分野】
【０００１】
本発明は、信号発生装置に関し、例えばＬＣＤ（Liquid Crystal Display）、ＰＤＰ（Plasuma Display Panel ）等のディスプレイ装置の表示の検査に使用することができる。本発明は、一定の輝度レベル、一定の色相による背景の前に、一定の輝度レベル、一定の色相による同一形状のパターンを繰り返し配置した画像を表示するテスト信号を出力することにより、従来に比して簡易な構成で確実に輝度ムラ、色ムラを検出することができるようにする。
【背景技術】
【０００２】
従来、ＬＣＤ、ＰＤＰ等のディスプレイ装置の製造工程では、信号発生装置で発生した種々のテスト信号を用いて製品を検査している。これらの検査のうち輝度ムラ、色ムラ（以下、レベルムラと呼ぶ）の検査では、信号発生装置で、単一色、一定輝度レベルのテスト信号を発生させ、このテスト信号の表示を目視で確認して製品を検査している。
【０００３】
これに対して特開平６−１１８０２４号公報では、表示画面を撮像装置で撮像し、その撮像結果を画像処理することにより、輝度ムラの検出精度を向上する方法が提案されている。
【０００４】
ところで特開平６−１１８０２４号公報では、検出精度を向上できるものの、構成が複雑になる欠点がある。これに対して従来手法の目視による検査では、構成を簡略化することができるものの、検出精度が劣る問題がある。特に、画面全体に緩やかな輝度ムラ、色ムラが発生している場合、従来手法の目視による検査では、容易に輝度ムラ、色ムラを検出できない問題がある。
【特許文献１】特開平６−１１８０２４号公報
【発明の開示】
【発明が解決しようとする課題】
【０００５】
本発明は以上の点を考慮してなされたもので、従来に比して簡易な構成で確実に輝度ムラ、色ムラを検出することができる信号発生装置を提案しようとするものである。
【課題を解決するための手段】
【０００６】
上記の課題を解決するため請求項１の発明は、輝度ムラ検出用及び又は色ムラ検出用のテスト信号を出力する信号発生装置に適用して、一定の輝度レベル、一定の色相による背景の前に、一定の輝度レベル、一定の色相による同一形状のパターンを繰り返し配置した画像を表示するテスト信号を出力する。
【０００７】
また請求項２の発明は、請求項１の構成において、操作子の操作に応動して、前記背景及び前記パターンの輝度レベル、色相を可変する。
【０００８】
また請求項３の発明は、請求項１又は請求項２の構成において、操作子の操作に応動して、前記パターンの繰り返しの回数を可変する。
【０００９】
請求項１の構成により、一定の輝度レベル、一定の色相による背景の前に、一定の輝度レベル、一定の色相による同一形状のパターンを繰り返し配置した画像を表示するテスト信号によれば、輝度ムラが存在する場合には、パターンと背景との間の輝度レベル差が部分的に小さくなったり、大きくなったりして見て取られることになり、これにより輝度ムラを検出することができる。また色ムラが存在する場合には、同様に、パターンと背景との間の色の差が部分的に小さくなったり、大きくなったりして見て取られることになり、これにより色ムラを検出することができる。これにより従来に比して簡易な構成で確実に輝度ムラ、色ムラを検出することができる。
【００１０】
また請求項２の構成によれば、請求項１の構成において、操作子の操作に応動して、前記背景及び前記パターンの輝度レベル、色相を可変することから、これら輝度レベル、色相を調整して、種々の輝度レベル、色相における輝度ムラ、色ムラを検出することができる。
【００１１】
また請求項３の構成によれば、請求項１又は請求項２の構成において、操作子の操作に応動して、パターンの繰り返しの回数を可変することから、目視により検出し易いようにパターンの繰り返し回数を種々に設定して使い勝手、検出精度を向上することができる。
【発明の効果】
【００１２】
本発明によれば、従来に比して簡易な構成で確実に輝度ムラ、色ムラを検出することができる。
【発明を実施するための最良の形態】
【００１３】
以下、適宜図面を参照しながら本発明の実施例を詳述する。
【実施例１】
【００１４】
図２は、本発明の検査システムを示すブロック図である。この検査システム１では、信号発生装置２で発生したテスト信号Ｓ１をディスプレイ装置３で表示し、このディスプレイ装置３の表示を目視で確認して輝度ムラ、色ムラを検出する。
【００１５】
ここで信号発生装置２において信号発生部４は、コントローラ５の制御によりテスト信号Ｓ１を種々に生成して出力する。コントローラ５は、操作子の操作に応動して信号発生部４の動作を制御し、この信号発生装置２から出力するテスト信号Ｓ１を種々に切り換え、またこのテスト信号Ｓ１における各種の設定を切り換える。
【００１６】
このテスト信号発生装置２は、このコントローラ５の制御により、輝度ムラ、色ムラを検査する場合、図１に示すような画像を表示するテスト信号Ｓ１を出力する。
【００１７】
ここでこのテスト信号Ｓ１は、一定の輝度レベル、一定の色相により背景６が表示される。またこの背景６の前に、一定の輝度レベル、一定の色相による一定形状のパターンＰが水平方向及び垂直方向に一定のピッチで配置される。この図１の例では、このパターンＰが矩形形状に設定される。
【００１８】
この信号発生装置２では、この背景の輝度レベル、色相を操作子の操作により設定できるように形成される。またパターンＰの輝度レベル、色相、繰り返しピッチ、繰り返し数、形状を操作子の操作により設定できるように形成される。
【００１９】
（２）実施例の動作
以上の構成において、この検査システム１では、信号発生装置２で発生したテスト信号Ｓ１がディスプレイ装置３で表示され、このディスプレイ装置３の表示を目視で確認して輝度ムラ、色ムラを判定し、これにより簡易な構成で輝度ムラ、色ムラを判定することができる。
【００２０】
またこのテスト信号Ｓ１は、一定の輝度レベル、一定の色相による背景６の前に、一定の輝度レベル、一定の色相による一定形状のパターンＰが水平方向及び垂直方向に一定のピッチで繰り返し配置されることから、輝度ムラが存在する場合には、このパターンＰと背景との間の輝度レベル差が部分的に小さくなったり、大きくなったりして見て取られることになり、これにより輝度ムラを検出することができる。また色ムラが存在する場合には、同様に、パターンＰと背景との間の色の差が部分的に小さくなったり、大きくなったりして見て取られることになり、これにより色ムラを検出することができる。
【００２１】
ここでこのような輝度ムラ、色ムラの検出は、各部に配置されたパターンＰと背景６との比較により目視で検出できることにより、画面に緩やかな輝度ムラ、色ムラが存在する場合でも、何れかの部位で検出することができ、これにより従来に比して簡易な構成により確実に輝度ムラ、色ムラを検出することができる。
【００２２】
具体的に、例えば背景６を輝度７０〔％〕の白とし、パターンＰを輝度７５〔％〕の白として水平方向に２０個、垂直方向に１０個並べてパターンＰを配置して表示したところ、画面全体に緩やかな輝度ムラが存在する場合を簡易かつ確実に検出することができた。
【００２３】
またこの背景６の輝度レベル、色相、パターンＰの輝度レベル、色レベルを種々に変更できることから、これらの輝度レベル、色相の設定により、種々の輝度レベル、色相における輝度ムラ、色ムラを検出することができる。
【００２４】
またパターンの繰り返しピッチ、繰り返し数、形状を操作子の操作により設定できることから、検査員が見つけ易いように、これらの設定を種々に変更することができ、その分、使い勝手を向上し、さらには検出精度を向上することができる。
【００２５】
（３）実施例の効果
以上の構成によれば、一定の輝度レベル、一定の色相による背景の前に、一定の輝度レベル、一定の色相による同一形状のパターンを繰り返し配置した画像を表示するテスト信号を出力することにより、従来に比して簡易な構成で確実に輝度ムラ、色ムラを検出することができる。
【００２６】
また背景の輝度レベル、色相、パターンの輝度レベル、色相を種々に変更して、種々の色相、輝度レベルの輝度ムラ、色ムラを検出することができる。
【００２７】
またパターンの繰り返し数等を設定できることから、使い勝手を向上し、さらには検出精度を向上することができる。
【実施例２】
【００２８】
なお上述の実施例においては、パターンを矩形形状により表示した場合について述べたが、本発明はこれに限らず、例えば三角形形状、円形形状等、パターンの形状は種々に設定することができる。
【産業上の利用可能性】
【００２９】
本発明は、ディスプレイ装置の表示の検査に使用することができる。
【図面の簡単な説明】
【００３０】
【図１】本発明の実施例によるテスト信号の説明に供する平面図である。
【図２】本発明の実施例による検査システムを示すブロック図である。
【符号の説明】
【００３１】
１……検査システム、２……信号発生装置、３……ディスプレイ装置、４……信号発生部、５……コントローラ
【図１】
2008028508.tif 000003
【図２】
2008028508.tif 000004